【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
光ビームを生成するための光源と、
前記光源と同軸に配置されかつ前記光源から離されたレンズと
を含む反射型ランプであって、前記反射型ランプは、押すことで前記光ビームのビーム角を変更するためのプッシュ−プッシュ型調整アセンブリを更に含み、該プッシュ−プッシュ型調整アセンブリは、
前記ランプに固定して結合されたフレームと、
前記レンズに作用可能に接続されたアクチュエータと、ここで前記アクチュエータは、前記アクチュエータの移動により前記レンズを前記光源に対して摺動させることができるようにして前記フレーム内に移動可能に配置され、それにより前記レンズと前記光源の間に可変の軸方向間隔を提供し、
前記フレーム内で前記アクチュエータを移動させてラッチ係合するために、前記アクチュエータ及び／又は前記フレームに結合されたプッシュ−プッシュ型ラッチ機構と
を含むことを特徴とする反射型ランプ。
【請求項２】
キャビティを定める内側反射面及び該内側反射面の縁部によって形成された開口を有する反射板を更に含み、前記光源は前記キャビティ内に配置され、前記反射板が前記アクチュエータに作用可能に接続される場合、前記アクチュエータの移動により前記反射板を前記光源に対して摺動させることができ、それにより前記反射板と前記光源の間に可変の軸方向間隔を提供する、請求項１に記載の反射型ランプ。
【請求項３】
前記プッシュ−プッシュ型調整アセンブリは、カムトラックとラッチピンのアセンブリとして与えられ、前記プッシュ−プッシュ型調整アセンブリは、
前記フレームと、
前記フレーム内に摺動可能に配置されたスライダとして構成された前記アクチュエータと、ここで前記スライダにカムトラックが定められ、
ピン部材として構成された前記プッシュ−プッシュ型ラッチ機構と、ここで前記ピン部材は、前記フレームに接続された第１の端部と、第２の端部とを有し、該第２の端部は、前記スライダに対する押圧力の交互の印加及び除去に応答して、前記スライダに前記フレーム内の複数の静止位置の間を行き来させるために前記スライダの前記カムトラックに選択的に係合可能であり、
前記スライダを前記押圧力とは反対方向に付勢するために前記スライダに作用する弾性部材と
を含む、請求項１又は２に記載の反射型ランプ。
【請求項４】
前記スライダは、前記フレーム内に全体が配置され、前記カムトラックとラッチピンのアセンブリは、
前記スライダの上方に配置された少なくとも１つのプランジャと、
前記プランジャの個数に対応した個数である少なくとも１つの対向した枢動キャッチの対と
を更に含み、前記枢動キャッチの対は、前記スライダに回転可能に配置され、前記プランジャに対する押圧力の交互の印加及び除去に応答して、閉じて前記プランジャを捕捉し、また開いて前記プランジャを解放する、請求項３に記載の反射型ランプ。
【請求項５】
それぞれのプランジャは、前記ランプに固定されたハウジングと、該ハウジングに取り付けられたスプリングバレルと、該スプリングバレルに収容されたばね部材とを含み、前記プランジャは、前記ばね部材を通り抜け、かつ上側プランジャ部分と下側プランジャスタッドとを含み、前記上側プランジャ部分は、頂部ボタンと、前記ばね部材の上端に載るストッパとを有し、前記ストッパは前記スプリングバレルの上端によって拘束され、前記下側プランジャスタッドは、前記スプリングバレルを越えて突出し、前記枢動キャッチの対によって捕捉可能である、請求項４に記載の反射型ランプ。
【請求項６】
前記カムトラックは、所定の一方向経路に従って、閉じた進路内で前記ピン部材の移動を案内するために、複数の異なる溝の深さを有する複数のトラック部分によって定められた前記閉じた進路を含み、前記ピン部材は、複数のロック位置でラッチ係合されるように閉じた進路内を移動可能でありかつ案内される摺動端部を有し、前記複数のロック位置はそれぞれ、前記フレーム内での前記スライダの前記複数の静止位置に対応し、前記カムトラックは、前記ピン部材の前記摺動端部が、前記スライダが拡張位置である第１のラッチ係合位置及び前記スライダが格納位置である第２のラッチ係合位置でラッチ係合されるように移動可能であるようにして設計される、請求項３に記載の反射型ランプ。
【請求項７】
前記カムトラックは、前記ピン部材が、前記スライダが拡張位置である第１のラッチ係合位置及び前記スライダが格納位置である第２のラッチ係合位置でラッチ係合されるように移動可能であるようにして設計され、前記カムトラックとラッチピンのアセンブリは、プランジャ長さが異なる２つ以上のプランジャと、対応する個数の前記キャッチの対とを含み、それぞれの前記キャッチの対は、前記スライダが前記格納位置である時に前記プランジャのそれぞれ１つを捕捉するように配置され、それによって前記プランジャに取り付けられた前記レンズと前記光源との間の前記軸方向間隔を変える、請求項４に記載の反射型ランプ。
【請求項８】
前記プッシュ−プッシュ型調整アセンブリは、カムトラックとラッチトラックボールのアセンブリとして与えられ、前記プッシュ−プッシュ型調整アセンブリは、
内側表面を有する前記フレームと、ここでカムトラックが前記フレームの前記内側表面に定められ、
前記フレーム内に摺動可能に配置されたスライダとして構成された前記アクチュエータと、ここで前記スライダは、横方向要素と、該横方向要素から下向きに延びたスタブとを備え、前記横方向要素に横方向のスロット穴が定められ、
トラックボールとして構成された前記プッシュ−プッシュ型ラッチ機構と、ここで前記トラックボールは、前記スライダの前記横方向のスロット穴によって移動可能に拘束され、前記スライダの前記横方向要素に対する押圧力の交互の印加及び除去に応答して、前記スライダに前記フレーム内の複数の静止位置の間を行き来させるために、移動して前記フレームの前記カムトラックに選択的に係合し、
前記スライダを前記押圧力とは反対方向に付勢するために前記スライダの前記スタブに作用する弾性部材と
を含む、請求項１又は２に記載の反射型ランプ。
【請求項９】
前記カムトラックは、所定の一方向経路に従って、閉じた進路内で前記トラックボールの移動を案内するために、複数の異なる溝の深さを有する複数のトラック部分によって定められた前記閉じた進路を含む、請求項８に記載の反射型ランプ。
【請求項１０】
前記横方向のスロット穴に収容された前記トラックボールは、前記閉じた進路内を移動可能であり、複数のロック位置でラッチ係合され、前記複数のロック位置はそれぞれ、前記フレーム内での前記スライダの前記複数の静止位置に対応し、前記カムトラックは、前記トラックボールが、前記スライダが拡張位置である第１のラッチ係合位置及び前記スライダが格納位置である第２のラッチ係合位置でラッチ係合されるように移動可能であるようにして設計される、請求項９に記載の反射型ランプ。
【請求項１１】
前記プッシュ−プッシュ型調整アセンブリは、カムトラックと枢動アームのアセンブリとして与えられ、前記プッシュ−プッシュ型調整アセンブリは、
前記フレームと、ここでカムトラックが前記フレーム内に定められ、摺動斜面が前記カムトラックの上方に形成され、前記摺動斜面は、前記カムトラックで端面が終わる下端と、端面が前記カムトラックと繋がる上端とを有し、
前記フレーム内に摺動可能に配置されたスライダとして構成された前記アクチュエータと、ここで前記スライダは、横方向要素と、該横方向要素から下向きに延びたベースポストとを備え、前記ベースポスト内に長手方向のキャビティが定められ、
前記横方向要素に枢動可能に取り付けられた枢動端部とラッチ係合ピンが設けられた自由端とを有する枢動アームとして構成された前記プッシュ−プッシュ型ラッチ機構と、ここで前記枢動端部には、前記フレームを押して前記枢動アームが前記摺動斜面の前記上端にあるように付勢力を及ぼすばね部材が装填され、前記枢動アームは、前記ベースポストの前記キャビティに枢動可能に受けられ、前記スライダの前記横方向要素に対する押圧力の交互の印加及び除去に応答して、前記スライダに前記フレーム内の複数の静止位置の間を行き来させるために、枢動して前記フレームの前記カムトラックに選択的に係合し、
前記スライダを前記押圧力とは反対方向に付勢するために前記スライダの前記ベースポストに作用する弾性部材と
を含む、請求項１又は２に記載の反射型ランプ。
【請求項１２】
前記枢動アームの前記自由端の前記ラッチ係合ピンは、前記フレームの前記摺動斜面に沿って摺動して前記カムトラックに落下して前記カムトラックと係合し、前記カムトラック内を移動して、前記枢動アーム及び前記スライダが複数のロック位置でラッチ係合されるようにし、前記複数のロック位置はそれぞれ、前記フレーム内での前記スライダの前記複数の静止位置に対応し、前記カムトラックは、前記枢動アームの前記ラッチ係合ピンが、前記スライダが格納位置となる第１のラッチ位置でラッチ係合されるように前記カムトラック内を移動可能であり、かつ前記スライダが拡張位置となる前記摺動斜面の前記上端にラッチ係合されるように移動可能であるように設計される、請求項１１に記載の反射型ランプ。
【請求項１３】
前記プッシュ−プッシュ型調整アセンブリの前記フレームが、前記反射型ランプのヒートシンクの一部又はハウジングの一部に固定される、請求項１又は２に記載の反射型ランプ。
【請求項１４】
光ビームを生成するための光源と、
キャビティを定める内側反射面及び該内側反射面の縁部によって形成された開口を有する反射板と、ここで前記光源は前記キャビティ内に配置され、
を含む反射型ランプであって、前記反射型ランプは、押すことで前記光ビームのビーム角を変更するためのプッシュ−プッシュ型調整アセンブリを更に含み、該プッシュ−プッシュ型調整アセンブリは、
前記ランプに固定して結合されたフレームと、
前記反射板に作用可能に接続されたアクチュエータと、ここで前記アクチュエータは、前記アクチュエータの移動により前記反射板を前記光源に対して摺動させることができるようにして前記フレーム内に移動可能に配置され、それにより前記反射板と前記光源の間に可変の軸方向間隔を提供し、
前記フレーム内で前記アクチュエータを移動させてラッチ係合するために、前記アクチュエータ及び／又は前記フレームに結合されたプッシュ−プッシュ型ラッチ機構と
を含むことを特徴とする反射型ランプ。
【請求項１５】
前記プッシュ−プッシュ型調整アセンブリは、カムトラックとラッチピンのアセンブリとして与えられ、
前記フレームと、
前記フレーム内に摺動可能に配置されたスライダとして構成された前記アクチュエータと、ここで前記スライダにカムトラックが定められ、
ピン部材として構成された前記プッシュ−プッシュ型ラッチ機構と、ここで前記ピン部材は、前記フレームに接続された第１の端部と、第２の端部とを有し、該第２の端部は、前記スライダに対する押圧力の交互の印加及び除去に応答して、前記スライダに前記フレーム内の複数の静止位置の間を行き来させるために前記スライダの前記カムトラックに選択的に係合可能であり、
前記スライダを前記押圧力とは反対方向に付勢するために前記スライダに作用する弾性部材と
を含む、請求項１４に記載の反射型ランプ。
【請求項１６】
前記スライダは、前記フレーム内に全体が配置され、前記カムトラックとラッチピンのアセンブリは、
前記スライダの上方に配置された少なくとも１つのプランジャと、
前記プランジャの個数に対応した個数である少なくとも１つの対向した枢動キャッチの対と
を更に含み、前記枢動キャッチの対は、前記スライダに回転可能に配置され、前記プランジャに対する押圧力の交互の印加及び除去に応答して、閉じて前記プランジャを捕捉し、また開いて前記プランジャを解放する、請求項１５に記載の反射型ランプ。
【請求項１７】
それぞれのプランジャは、前記ランプに固定されたハウジングと、該ハウジングに取り付けられたスプリングバレルと、該スプリングバレルに収容されたばね部材とを含み、前記プランジャは、前記ばね部材を通り抜け、かつ上側プランジャ部分と下側プランジャスタッドとを含み、前記上側プランジャ部分は、頂部ボタンと、前記ばね部材の上端に載るストッパとを有し、前記ストッパは前記スプリングバレルの上端によって拘束され、前記下側プランジャスタッドは、前記スプリングバレルを越えて突出し、前記枢動キャッチの対によって捕捉可能である、請求項１６に記載の反射型ランプ。
【請求項１８】
前記カムトラックは、所定の一方向経路に従って、閉じた進路内で前記ピン部材の移動を案内するために、複数の異なる溝の深さを有する複数のトラック部分によって定められた前記閉じた進路を含み、前記ピン部材は、複数のロック位置でラッチ係合されるように閉じた進路内を移動可能でありかつ案内される摺動端部を有し、前記複数のロック位置はそれぞれ、前記フレーム内での前記スライダの前記複数の静止位置に対応し、前記カムトラックは、前記ピン部材の前記摺動端部が、前記スライダが拡張位置である第１のラッチ係合位置及び前記スライダが格納位置である第２のラッチ係合位置でラッチ係合されるように移動可能であるようにして設計される、請求項１５に記載の反射型ランプ。
【請求項１９】
前記カムトラックは、前記ピン部材が、前記スライダが拡張位置である第１のラッチ係合位置及び前記スライダが格納位置である第２のラッチ係合位置でラッチ係合されるように移動可能であるようにして設計され、前記カムトラックとラッチピンのアセンブリは、プランジャ長さが異なる２つ以上のプランジャと、対応する個数の前記キャッチの対とを含み、それぞれの前記キャッチの対は、前記スライダが前記格納位置である時に前記プランジャのそれぞれ１つを捕捉するように配置され、それによって前記プランジャに取り付けられた前記反射板と前記光源との間の前記軸方向間隔を変える、請求項１６に記載の反射型ランプ。
【請求項２０】
前記プッシュ−プッシュ型調整アセンブリは、カムトラックとラッチトラックボールのアセンブリとして与えられ、前記プッシュ−プッシュ型調整アセンブリは、
内側表面を有する前記フレームと、ここでカムトラックが前記フレームの前記内側表面に定められ、
前記フレーム内に摺動可能に配置されたスライダとして構成された前記アクチュエータと、ここで前記スライダは、横方向要素と、該横方向要素から下向きに延びたスタブとを備え、前記横方向要素に横方向のスロット穴が定められ、
トラックボールとして構成された前記プッシュ−プッシュ型ラッチ機構と、ここで前記トラックボールは、前記スライダの前記横方向のスロット穴によって移動可能に拘束され、前記スライダの前記横方向要素に対する押圧力の交互の印加及び除去に応答して、前記スライダに前記フレーム内の複数の静止位置の間を行き来させるために、移動して前記フレームの前記カムトラックに選択的に係合し、
前記スライダを前記押圧力とは反対方向に付勢するために前記スライダの前記スタブに作用する弾性部材と
を含む、請求項１４に記載の反射型ランプ。
【請求項２１】
前記カムトラックは、所定の一方向経路に従って、閉じた進路内で前記トラックボールの移動を案内するために、複数の異なる溝の深さを有する複数のトラック部分によって定められた前記閉じた進路を含む、請求項２０に記載の反射型ランプ。
【請求項２２】
前記横方向のスロット穴に収容された前記トラックボールは、前記閉じた進路内を移動可能であり、複数のロック位置でラッチ係合され、前記複数のロック位置はそれぞれ、前記フレーム内での前記スライダの前記複数の静止位置に対応し、前記カムトラックは、前記トラックボールが、前記スライダが拡張位置である第１のラッチ係合位置及び前記スライダが格納位置である第２のラッチ係合位置でラッチ係合されるように移動可能であるようにして設計される、請求項２１に記載の反射型ランプ。
【請求項２３】
前記プッシュ−プッシュ型調整アセンブリは、カムトラックと枢動アームのアセンブリとして与えられ、前記プッシュ−プッシュ型調整アセンブリは、
前記フレームと、ここでカムトラックが前記フレーム内に定められ、摺動斜面が前記カムトラックの上方に形成され、前記摺動斜面は、前記カムトラックで端面が終わる下端と、端面が前記カムトラックと繋がる上端とを有し、
前記フレーム内に摺動可能に配置されたスライダとして構成された前記アクチュエータと、ここで前記スライダは、横方向要素と、該横方向要素から下向きに延びたベースポストとを備え、前記ベースポスト内に長手方向のキャビティが定められ、
前記横方向要素に枢動可能に取り付けられた枢動端部とラッチ係合ピンが設けられた自由端とを有する枢動アームとして構成された前記プッシュ−プッシュ型ラッチ機構と、ここで前記枢動端部には、前記フレームを押して前記枢動アームが前記摺動斜面の前記上端にあるように付勢力を及ぼすばね部材が装填され、前記枢動アームは、前記ベースポストの前記キャビティに枢動可能に受けられ、前記スライダの前記横方向要素に対する押圧力の交互の印加及び除去に応答して、前記スライダに前記フレーム内の複数の静止位置の間を行き来させるために、枢動して前記フレームの前記カムトラックに選択的に係合し、
前記スライダを前記押圧力とは反対方向に付勢するために前記スライダの前記ベースポストに作用する弾性部材と
を含む、請求項２２に記載の反射型ランプ。
【請求項２４】
前記枢動アームの前記自由端の前記ラッチ係合ピンは、前記フレームの前記摺動斜面に沿って摺動して前記カムトラックに落下して前記カムトラックと係合し、前記カムトラック内を移動して、前記枢動アーム及び前記スライダが複数のロック位置でラッチ係合されるようにし、前記複数のロック位置はそれぞれ、前記フレーム内での前記スライダの前記複数の静止位置に対応し、前記カムトラックは、前記枢動アームの前記ラッチ係合ピンが、前記スライダが格納位置となる第１のラッチ位置でラッチ係合されるように前記カムトラック内を移動可能であり、かつ前記スライダが拡張位置となる前記摺動斜面の前記上端にラッチ係合されるように移動可能であるように設計される、請求項２３に記載の反射型ランプ。
【請求項２５】
前記プッシュ−プッシュ型調整アセンブリの前記フレームが、前記反射型ランプのヒートシンクの一部又はハウジングの一部に固定される、請求項１４に記載の反射型ランプ。
【手続補正２】
【補正対象書類名】図面
【補正対象項目名】図６Ｃ−６Ｄ
【補正方法】変更
【補正の内容】
【図６Ｃ−６Ｄ】
2019135714.tif 000001